(57)【特許請求の範囲】
【請求項１】
インバータ（13）とＤＣリンク用のフィルムコンデンサ（C）とを備えた電力変換装置（10）であって、
前記インバータ（13）におけるキャリア周波数の２倍の周波数に依存して変動する、前記フィルムコンデンサ（C）から生じる異音のレベルにおける極小値又は該極小値の近傍のキャリア周波数を、前記インバータ（13）のキャリア周波数として用いることを特徴とする電力変換装置。
【請求項２】
請求項１において、
前記キャリア周波数は、５ｋＨｚから１０ｋＨｚであることを特徴とする電力変換装置。
【請求項３】
インバータ（13）とＤＣリンク用のフィルムコンデンサ（C）とを備えた電力変換装置（10）の製造方法であって、
前記フィルムコンデンサ（C）から生じる異音レベルの、２倍のキャリア周波数による周波数依存性を取得し、該異音レベルにおける極小値又は該極小値の近傍の周波数と、前記インバータ（13）におけるキャリア周波数とを一致させることを特徴とする電力変換装置の製造方法。
【請求項４】
請求項３において、
前記キャリア周波数は、５ｋＨｚから１０ｋＨｚであることを特徴とする電力変換装置の製造方法。
【発明の詳細な説明】
【技術分野】
【０００１】
本発明は、ＤＣリンク平滑用コンデンサにフィルムコンデンサを用いる電力変換装置に関する。
【背景技術】
【０００２】
以下の特許文献１には、ＤＣリンク部の平滑用コンデンサにフィルムコンデンサを用いる場合、インバータのスイッチング周波数（キャリア周波数）が可聴周波数にあると、フィルムコンデンサから騒音（異音）が発生するという課題を挙げている。特許文献１では、フィルムコンデンサの構造及びその構成材料を工夫して異音を低減している。
【先行技術文献】
【特許文献】
【０００３】
【特許文献１】特開２０１２−１９５５３６号公報
【発明の概要】
【発明が解決しようとする課題】
【０００４】
しかしながら、フィルムコンデンサに、特別な構造又は異音吸収用の材料を用いると、製造工程の追加が必要となったり、使用材料のコストが上昇したりすることは避けられず、異音対策のためにデバイスのコストが大きく上昇するという問題が生じる。
【０００５】
本発明は、かかる点に鑑みてなされたものであり、その目的は、ＤＣリンク平滑用コンデンサにフィルムコンデンサを用いる電力変換装置における該フィルムコンデンサからの異音を低減できるようにすることにある。
【課題を解決するための手段】
【０００６】
第１の発明は、インバータ（13）とＤＣリンク用のフィルムコンデンサ（C）とを備えた電力変換装置（10）を対象とし、インバータ（13）におけるキャリア周波数の２倍の周波数に依存して変動する、フィルムコンデンサ（C）から生じる異音のレベルが相対的に低いキャリア周波数をインバータ（13）のキャリア周波数として用いることを特徴とする。
【０００７】
第１の発明では、インバータにおけるキャリア周波数の２倍の周波数に依存して変動する、フィルムコンデンサから生じる異音のレベルが相対的に低いキャリア周波数をインバータのキャリア周波数として用いるため、ＤＣリンク平滑用コンデンサにフィルムコンデンサを用いる電力変換装置における該フィルムコンデンサからの異音を確実に低減することができる。
【０００８】
第２の発明は、キャリア周波数が５ｋＨｚから１０ｋＨｚであることを特徴とする。
【０００９】
第２の発明では、キャリア周波数をこの範囲に設定すると、スイッチング損失及びリアクトルのエネルギー損失を抑えることができる。
【００１０】
第３の発明は、インバータ（13）とＤＣリンク用のフィルムコンデンサ（C）とを備えた電力変換装置（10）の製造方法を対象とし、フィルムコンデンサ（C）から生じる異音レベルの、２倍のキャリア周波数による周波数依存性を取得し、該異音レベルが相対的に低い周波数とインバータ（13）におけるキャリア周波数とを一致させることを特徴とする。
【００１１】
第３の発明では、フィルムコンデンサから生じる異音レベルの、２倍のキャリア周波数による周波数依存性を取得し、該異音レベルが相対的に低い周波数とインバータにおけるキャリア周波数とを一致させるため、ＤＣリンク平滑用コンデンサにフィルムコンデンサを用いる電力変換装置における該フィルムコンデンサからの異音を確実に低減することができる。
【００１２】
第４の発明は、キャリア周波数が５ｋＨｚから１０ｋＨｚであることを特徴とする。
【００１３】
第４の発明では、キャリア周波数をこの範囲に設定すると、スイッチング損失及びリアクトルのエネルギー損失を抑えることができる。
【発明の効果】
【００１４】
本発明によれば、ＤＣリンク平滑用コンデンサにフィルムコンデンサを用いる電力変換装置における該フィルムコンデンサからの異音を確実に低減することができる。
【００１５】
また、上記第２の発明によれば、スイッチング損失及びリアクトルのエネルギー損失を抑えることができる。
【００１６】
また、上記第３の発明によれば、ＤＣリンク平滑用コンデンサにフィルムコンデンサを用いる電力変換装置における該フィルムコンデンサからの異音を確実に低減することができる。
【００１７】
また、上記第４の発明によれば、スイッチング損失及びリアクトルのエネルギー損失を抑えることができる。
【図面の簡単な説明】
【００１８】
【図１】図１は本発明の実施形態１に係る電力変換装置を示す回路図である。
【図２】図２は本発明の実施形態１に係る電力変換装置を構成するＤＣリンク平滑用コンデンサに用いるフィルムコンデンサにおける異音レベルの周波数依存性を表すグラフである。
【発明を実施するための形態】
【００１９】
以下、本発明の実施形態を図面に基づいて詳細に説明する。
【００２０】
《発明の実施形態１》
本発明の実施形態１について説明する。
【００２１】
図１は、実施形態１に係る電力変換装置（10）の構成例を示している。電力変換装置（10）は、入力交流電圧（この例では、単相の交流電源（20）から供給された電源電圧（Vin）を所定の出力交流電圧に変換して、例えば負荷であるモータ（30）に供給する。ここでは、電力変換装置（10）は、コンバータ回路（11）と、ＤＣ（直流）リンク部（12）と、インバータ回路（13）とを備えている。例えば、モータ（30）は、ＩＰＭモータ（Interior Permanent Magnet Motor）又はＳＭ（Synchronous Motor）によって構成される。
【００２２】
〈コンバータ回路〉
コンバータ回路（11）は、リアクトル（L）を介して交流電源（20）と接続され、該交流電源（20）からの電源電圧（Vin）を全波整流する。ここでは、リアクトル（L）のインダクタンスは、一例として６ｍＨとしている、また、コンバータ回路（11）は、ブリッジ状に結線された４個のダイオード（D1,D2,D3,D4）を有している。すなわち、コンバータ回路（11）は、ダイオードブリッジ回路によって構成されている。
【００２３】
〈ＤＣリンク部〉
ＤＣリンク部（12）は、コンバータ回路（11）の一対の出力ノードの間に接続されたコンデンサ（C）を有し、コンバータ回路（11）の出力（すなわち、全波整流された電源電圧（Vin））を入力して直流電圧（Vdc）を生成する。直流電圧（Vdc）は、電源電圧（Vin）の周波数に応じて脈動する。
【００２４】
ここで、電源電圧（Vin）の周波数に応じた脈動成分が直流電圧（Vdc）に含まれている理由について説明する。直流リンク部（12）のコンデンサ（C）の容量値は、コンバータ回路（11）の出力をほとんど平滑化することができないものの、インバータ回路（13）のスイッチング動作に起因するリプル電圧（キャリア周波数に応じた電圧変動）を抑制することができるように設定されている。具体的には、コンデンサ（C）は、一般的な電力変換装置においてコンバータ回路（11）の出力の平滑化に用いられる平滑コンデンサ（例えば、電解コンデンサ）の容量値の約０．０１倍の容量値（ここでは、例えば２０μＦ程度）を有する小容量のフィルムコンデンサによって構成されている。このようなコンデンサ（C）を用いているため、ＤＣリンク部（12）においてコンバータ回路（11）の出力がほとんど平滑化されず、その結果、電源電圧（Vin）の周波数に応じた脈動成分（具体的には、電源電圧（Vin）の周波数の２倍の周波数を有する脈動成分）が直流電圧（Vdc）に残留することになる。例えば、直流電圧（Vdc）は、その最大値がその最小値の２倍以上になるように脈動している。
【００２５】
〈インバータ回路〉
インバータ回路（13）は、その一対の入力ノードがＤＣリンク部（12）のコンデンサ（C）の両端に接続され、ＤＣリンク部（12）によって生成された直流電圧（Vdc）をスイッチング動作により出力交流電圧に変換してモータ（30）に供給する。ここでは、インバータ回路（13）は、三相の出力交流電圧をモータ（30）に供給するために、ブリッジ結線された６つのスイッチング素子（Su,Sv,Sw,Sx,Sy,Sz）と、６つの還流ダイオード（Du,Dv,Dw,Dx,Dy,Dz）とを有している。詳細には、インバータ回路（13）は、２つのスイッチング素子を直列に接続してなる３つのスイッチングレグを備え、３つのスイッチングレグのそれぞれにおいて、上アームのスイッチング素子（Su,Sv,Sw）と下アームのスイッチング素子（Sx,Sy,Sz）との中点が、モータ（30）の各相のコイル（ｕ相，ｖ相，ｗ相のコイル）と接続されている。また、６つのスイッチング素子（Su,Sv,Sw,Sx,Sy,Sz）には、６つの還流ダイオード（Du,Dv,Dw,Dx,Dy,Dz）がそれぞれ逆並列に接続されている。
【００２６】
〈各種検出部〉
また、本実施形態においては、電力変換装置（10）は、電源位相検出部（51）と、直流電圧検出部（52）とを備えている。
【００２７】
電源位相検出部（51）は、電源電圧（Vin）の位相角（電源位相（θin））を検出する。直流電圧検出部（52）は、直流リンク部（12）の直流電圧（Vdc）の電圧値を検出する。
【００２８】
−キャリア周波数の選定−
本願発明者の検証によると、図２に示すように、通常のフィルムコンデンサ（C）は、引加される周波数に応じて、異音レベルが最大で４０ｄＢ程度変動することが分かった。
【００２９】
図２において、３種類のサンプルＡ、Ｂ及びＣを例に挙げ、縦軸に３Ｖｒｍｓで低電圧駆動したときの異音レベルをとり、横軸にキャリア周波数をとっている。ここで、キャリア周波数をαとすると、上述した脈動成分によって、フィルムコンデンサ（C）は、該キャリア周波数の２倍の周波数２αで異音を発する。キャリア周波数αは、一例として、５ｋＨｚ以上且つ１０ｋＨｚ以下の周波数を用いることができる。
【００３０】
本実施形態においては、サンプルＡのフィルムコンデンサを用いる場合には、キャリア周波数の２倍の周波数２αを、サンプルＡのグラフにおける直近の極小値を示す周波数Ｘ１に合わせる。同様に、サンプルＢのフィルムコンデンサを用いる場合には、周波数２αを、サンプルＢのグラフにおける直近の極小値を示す周波数Ｘ２に合わせる。また、サンプルＣのフィルムコンデンサを用いる場合には、周波数２αを、サンプルＣのグラフにおける直近の極小値を示す周波数Ｘ３に合わせる。
【００３１】
なお、上述した周波数Ｘ１、Ｘ２及びＸ３は、必ずしもそれぞれの極小値に一致させる必要はない。すなわち、各極小値に隣接する極大点よりも異音レベルが低い周波数であればよい。この場合、極小点の近傍であればより好ましい。
【００３２】
なお、周波数２αは、各サンプルの異音レベルの最小値に合わせるのが理想的ではあるが、周波数２αの直近の極小点よりも離れた最小点にまで設計値の周波数２αを大きくずらすことになると、電力変換装置（10）構成する各回路の動作検証等が必要となり現実的ではない。また、キャリア周波数αを高くし過ぎると、インバータ回路（13）におけるスイッチング損失が大きくなる。一方、キャリア周波数αを低くし過ぎると、高調波フィルタであるリアクトル（L）自体を大きくする必要があり、また、そのエネルギー損失も増大する。
【００３３】
従って、本実施形態においては、キャリア周波数の２倍の周波数２αを、異音レベルのグラフにおける直近の極小値を示す周波数に又はその近傍に合わせている。
【００３４】
−実施形態１の効果−
実施形態１に係る電力変換装置によると、ＤＣリンク平滑用コンデンサにフィルムコンデンサ（C）を用いる電力変換装置（10）において、該フィルムコンデンサ（C）における異音レベルの周波数依存性を計測し、その異音レベルのグラフにおける、キャリア周波数αの２倍の周波数２αに近い極小値又はその近傍に、周波数２αの値を設定する。これにより、実施形態１に係る電力変換装置（10）は、フィルムコンデンサ（C）を封止する特別な構造又は異音吸収用の材料を用いることなく、該フィルムコンデンサ（C）からの異音を低減することができる。
【００３５】
《その他の実施形態》
上記の実施形態１においては、電力変換装置（10）の製造時点で、キャリア周波数αの２倍の周波数２αは、組み込まれたフィルムコンデンサ（C）の異音レベルにおける該周波数２αの直近の極小値又はその近傍に設定されている。
【００３６】
本実施形態においては、電力変換装置（10）の動作中に、異音レベルがより低い周波数に調整する。
【００３７】
一般に、電力変換装置（10）は、所定の出力値を超えた場合に異音レベルが大きくなる傾向にある。
【００３８】
そこで、本実施形態においては、例えば、組み込まれたフィルムコンデンサ（C）の異音レベルにおける該周波数２αの直近の極小値（例えば、図２に示すＸ１）を、図示しない制御装置のメモリ装置に格納しておく。電力変換装置（10）が所定の出力値を超えた場合には、通常の周波数２αを、メモリ装置から読み出したＸ１の値に動的に変更する。より詳細には、動作中のキャリア周波数αを（Ｘ１）／２の値に変更する。
【００３９】
このようにしても、実施形態１と同様の効果を得ることができる。
【００４０】
なお、以上の実施形態は、本質的に好ましい例示であって、本発明、その適用物又はその用途の範囲を制限することを意図しない。
【産業上の利用可能性】
【００４１】
本発明は、ＤＣリンク平滑用コンデンサとしてのフィルムコンデンサからの異音を低減できる電力変換装置に有用である。
【符号の説明】
【００４２】
10  電力変換装置
11  コンバータ回路
12  ＤＣリンク部
13  インバータ回路（インバータ）
20  交流電源
30  モータ
C  フィルムコンデンサ
L  リアクトル
【図１】
0006677444.tif 000002
【図２】
0006677444.tif 000003